(57)【要約】【課題】  ドレイン本体の周囲に打設されたコンクリートの硬化後に行われる該コンクリート上面の仕上げ施工時に、受皿部の露出内面を覆い得るドレイン本体の養生装置を提供する。【解決手段】  適宜の弾性及び非透水性を備えた材質からなり、受皿部２の側周壁４の内周形状と略相似する形状で該側周壁４の内周形状より若干大きく形成され、その弾性によって受皿部２の側周壁４内に着脱可能に密嵌することによって側周壁４で囲繞される露出内面５を覆う養生カバー体２１を、固定装置７によるドレイン本体１の仮固定時に被覆シート２０で覆われた受皿部２内に予め収納するようにした。これにより、周囲に打設されたコンクリート上面の仕上げ施工時に養生カバー体２１を受皿部２の側周壁４内に密嵌することにより、受皿部２の露出内面５を覆うことができるとともに、使用時まで該養生カバー体２１を別途保管しておく場所や手間が不要であり、紛失を防止できる。【選択図】    図１
2006299619.tif 000002
【特許請求の範囲】
【請求項１】
側周壁によって露出内面が囲繞される受皿部と該受皿部から下方に延成された排水管部とからなり、固定装置によってコンクリート型枠上に仮固定され、かつ側周壁上面に周縁が被着される被覆シートによって受皿部が覆われた状態で周囲にコンクリートが打設されるドレイン本体を、前記コンクリートの硬化後に前記被覆シートを除去した状態で行われるコンクリート上面の仕上げ施工時に養生するものであって、
適宜の弾性及び非透水性を備えた材質からなり、前記側周壁の内周形状と略相似する形状で該側周壁の内周形状より若干大きく形成され、その弾性によって受皿部の側周壁内に着脱可能に密嵌することによって前記露出内面を覆う養生カバー体を、固定装置による仮固定時に被覆シートで覆われた受皿部内に予め収納するようにしたことを特徴とするドレイン本体の養生装置。
【請求項２】
養生カバー体に上下方向の水抜き孔が排水管部の開口領域内に臨ませて形成されていることを特徴とする請求項１に記載したドレイン本体の養生装置。
【請求項３】
水抜き孔が少なくとも指一本を挿通し得る内径であることを特徴とする請求項２に記載したドレイン本体の養生装置。
【発明の詳細な説明】
【技術分野】
【０００１】
本発明は、ドレイン本体の周囲に打設されるコンクリートが硬化した後、該コンクリート上面の仕上げ施工時に用いられるドレイン本体の養生装置に関する。
【背景技術】
【０００２】
打込型ルーフドレインの施工時においては、図７（イ）に示すように、ドレイン本体ａを固定装置ｂによってコンクリート型枠ｃ上に仮固定した状態で、該ドレイン本体ａの周囲にコンクリートが打設されるが、この時、ドレイン本体ａ内にコンクリートが入り込まないようにするために被覆シートｆが用いられる。この被覆シートｆは、本願出願人によって先に提案されているものであって、少なくとも周縁裏面に剥離性粘着層を備えた可撓性合成樹脂シートからなり、受皿部ｄの側周壁ｅの上面に周縁裏面の剥離性粘着層を介して被着することによって受皿部ｄを覆い得るようになっている（特許文献１参照）。
【０００３】
上記のようにドレイン本体ａを固定装置ｂによってコンクリート型枠ｃ上に仮固定し、かつ被覆シートｆによって受皿部ｄを覆った状態で、図７（ロ）に示すように、ドレイン本体ａの周囲にコンクリートｐが打設される。そして、該コンクリートｐが硬化した後、図８（イ）に示すように、固定装置ｂ及び被覆シートｆを除去し、この状態で、図８（ロ）に示すように、コンクリートｐの上面に防水モルタルや防水塗料を塗布して仕上げ層ｇを形成する仕上げ施工が行われている。
【特許文献１】特開平１１−１５９１５０号公報
【発明の開示】
【発明が解決しようとする課題】
【０００４】
ところで、上述した受皿部ｄを覆う被覆シートｆは、コンクリートｐの打設時に該コンクリートｐが受皿部ｄ内に入り込まないようにするために使用されているが、コンクリートｐの硬化後に固定装置ｂとともに除去されてしまうため、受皿部ｄの内面が露出した状態となり、その後に行われる防水モルタルや防水塗料の塗布による仕上げ層ｇの施工時に防水モルタルから発生するノロや防水塗料の飛沫等によって受皿部ｄの内面が汚れてしまい、その清掃に手間が掛かるという問題点があった。ここで、一旦除去した前記被覆シートｆを再度被着して受皿部ｄを覆うことが考えられるが、被覆シートｆの周縁裏面に設けられている剥離性粘着層は、その接着力が弱く、一度剥離すると再度の接着が困難であるため、被覆シートｆを再使用することはできない。また、固定装置ｂ及び被覆シートｆを除去しないで、コンクリートｐの上面の仕上げ施工を行うことも考えられるが、仕上げ施工による仕上げ層ｇは、ドレイン本体ａに雨水を導き得るようにドレイン本体ａに向けて下方傾斜する勾配を付けて形成されるため、該仕上げ層ｇの勾配によってドレイン本体ａ側に導かれる雨水が被覆シートｆ上に溜まると、その重みで被覆シートｆが剥がれてしまい、ノロを含有した雨水が受皿部ｄに流れ込むこととなって、結局、受皿部ｄの内面が汚れてしまうという問題点があった。
【０００５】
本発明は、かかる問題点を解消し得るドレイン本体の養生装置を提供することを目的とするものである。
【課題を解決するための手段】
【０００６】
本発明は、側周壁によって露出内面が囲繞される受皿部と該受皿部から下方に延成された排水管部とからなり、固定装置によってコンクリート型枠上に仮固定され、かつ側周壁上面に周縁が被着される被覆シートによって受皿部が覆われた状態で周囲にコンクリートが打設されるドレイン本体を、前記コンクリートの硬化後に前記被覆シートを除去した状態で行われるコンクリート上面の仕上げ施工時に養生するものであって、適宜の弾性及び非透水性を備えた材質からなり、前記側周壁の内周形状と略相似する形状で該側周壁の内周形状より若干大きく形成され、その弾性によって受皿部の側周壁内に着脱可能に密嵌することによって前記露出内面を覆う養生カバー体を、固定装置による仮固定時に被覆シートで覆われた受皿部内に予め収納するようにしたことを特徴とするドレイン本体の養生装置である。
【０００７】
ここで、養生カバー体を構成する材質としては、発泡スチロール，発泡ウレタン，ゴム等が挙げられるが、中でも安価で成形性がよく、適宜の弾性を備えた発泡スチロール，発泡ウレタン等の発泡合成樹脂が好適に用いられ得る。
【０００８】
また、かかるドレイン本体の養生装置にあって、前記養生カバー体に上下方向の水抜き孔を排水管部の開口領域内に臨ませて形成する構成が提案される。
【０００９】
ここで、該養生カバー体は、受皿部の側周壁内に密嵌した状態でその上面が該側周壁の上面高さと略一致する高さとなるように形成することが望ましい。これにより、養生カバー体の上面と、受皿部の側周壁の上面との間に段差が生じることがなく、雨水やモルタルから発生するノロを水抜き孔から円滑に排水することができる。
【００１０】
また、前記水抜き孔を、少なくとも指一本を挿通し得る内径とする構成が提案される。
【発明の効果】
【００１１】
本発明は、上述したように、コンクリートの硬化後に被覆シートを除去した状態で行われるコンクリート上面の仕上げ施工時にドレイン本体を養生する養生カバー体を、固定装置による仮固定時に被覆シートで覆われた受皿部内に予め収納するようにしたから、ドレイン本体の周囲に打設されたコンクリートの硬化後に行われるコンクリート上面の仕上げ施工時に、養生カバー体を受皿部の側周壁内に密嵌することにより、受皿部の露出内面を覆うことができ、これによって、仕上げ施工時における防水モルタルのノロや防水塗料の飛沫等による受皿部の内面の汚れを防止することができる。また、該養生カバー体が、適宜の弾性及び非透水性を備えた材質からなり、受皿部の側周壁の内周形状と略相似する形状で該側周壁の内周形状より若干大きく形成され、その弾性によって受皿部の側周壁内に着脱可能に密嵌されるものであるため、密嵌状態において優れた自己位置保持力と強度が得られる。これにより、養生カバー体上に雨水が溜まっても、従来の被覆シートのように重みで剥がれることがなく、受皿部の露出内面を覆う状態を良好に維持させることができる。また、建築現場では、ドレイン本体を固定装置によってコンクリート型枠上に仮固定してコンクリートを打設する施工業者とコンクリート上面の仕上げ施工業者とが異なるのが普通であるが、コンクリート上面の仕上げ施工時に用いる養生カバー体を、その仕上げ施工業者の管理下におくと、仕上げ施工を開始するまでの間、該養生カバー体を保管しておく場所や手間が必要であり、紛失する虞もある。而して、本発明にあっては、養生カバー体を、固定装置による仮固定時に被覆シートで覆われた受皿部内に予め収納させておくので、ドレイン本体の周囲に打設されたコンクリートの硬化後に被覆シートを除去すれば、受皿部内に収納されている養生カバー体が即座に使用可能となる。これにより、該養生カバー体を別途保管しておく場所や手間が不要であり、紛失を確実に防止することができる。さらには、被覆シートと養生カバー体とがセットになって、ドレイン本体に担持されているものであるから、一連の施工過程において完結的に養生対策がなされ得ることとなり、施工性を飛躍的に向上させることができる。
【００１２】
また、養生カバー体に上下方向の水抜き孔を排水管部の開口領域内に臨ませて形成する構成にあっては、モルタルから発生するノロや雨水を水抜き孔から養生カバー体の下方に導くことができるとともに、排水管部の開口領域内に流下させることができる。これにより、養生カバー体の上面にノロや雨水が溜まることがなく、さらに排水管部の内面を汚さずに前記雨水等を排出させることができる。
【００１３】
また、前記水抜き孔を、少なくとも指一本を挿通し得る内径とする構成にあっては、コンクリート上面の仕上げ施工完了後に、該水抜き孔を指掛け部として養生カバー体を上方に引張することにより、受皿部の側周壁内に密嵌された養生カバー体を容易に取り外すことができる。
【発明を実施するための最良の形態】
【００１４】
以下に、本発明の一実施例を、図１〜図６に基づいて説明する。
打込型ルーフドレインは、屋上やバルコニー等の露天床面の表層部分に設置されるものであって、露天床面を構成するコンクリートの上面に埋設されるドレイン本体１と、施工完了後にドレイン本体１に取り付けられるストレーナ２６（図６参照）とを備えている。ドレイン本体１は、受皿部２と該受皿部２から下方に延成された排水管部３とからなり、本実施例では、受皿部２が平面視において略矩形を呈するように形成されている。受皿部２は、上部が外方に若干拡開するように内方傾斜した側周壁４を備えており、後述するコンクリートｐの上面に露出する露出内面５（図４参照）が前記側周壁４によって囲繞されている。
【００１５】
前記ドレイン本体１は、図１に示すように、コンクリートの打設前に固定装置７によってコンクリート型枠６の所定位置に仮固定される。該固定装置７は、円形の位置決め板８を備えており、該位置決め板８は、水平状に配設されたコンクリート型枠６の所定位置に釘９等によって固定される。該位置決め板８には、前記ドレイン本体１の排水管部３を囲繞する筒状スペーサ１０の下端が嵌合され、該筒状スペーサ１０の上端は、受皿部２の下面に形成された係止段部１１に係合される。そして、このように筒状スペーサ１０を受皿部２とコンクリート型枠６との間に介装させることにより、ドレイン本体１をコンクリート型枠６上の所要高さ位置で支持するようにしている。
【００１６】
前記位置決め板８の中央部には雌螺子部１２が設けられ、該雌螺子部１２に下端を螺合することにより螺子杆１３が略垂直に立設されている。また、前記受皿部２の内底面には、排水管部３に連通する開口領域３’を跨いで挟圧板１４が差し渡されており、該挟圧板１４の中央に形成した透孔１６（図４参照）に前記螺子杆１３を挿通させて、その突出端側に蝶ナット１５を螺着して緊締することによって、挟圧板１４をコンクリート型枠６側に押圧して、該挟圧板１４と前記筒状スペーサ１０の上端とで受皿部２を挟持することにより、ドレイン本体１を仮固定するようにしている。そして、この螺子杆１３及び蝶ナット１５を、挟圧板１４をコンクリート型枠６側に押圧して、筒状スペーサ１０とで受皿部２を挟持する挟持手段としている。また、挟圧板１４と前記位置決め板８には、上下方向で対向する凹部１７，１８が形成されており、該凹部１７，１８にずれ止めパイプ１９の上下端が略密嵌状態で嵌合されている。
【００１７】
また、前記受皿部２は、側周壁４の上面に周縁が被着される被覆シート２０によって覆われている。該被覆シート２０は、少なくとも周縁裏面に剥離性粘着層を備えた可撓性合成樹脂シートからなり、該剥離性粘着層の接着力を介して側周壁４の上面に周縁を被着し得るようになっている。尚、被覆シート２０の剥離性粘着層には、被着時までその粘着面を保護する剥離紙が接合されている。
【００１８】
前記受皿部２には、本発明に係るドレイン本体の養生装置を構成する養生カバー体２１が収納されている。該養生カバー体２１は、適宜の弾性及び非透水性を備えた材質からなり、図２（イ），（ロ）に示すように、平面視において略矩形を呈する前記側周壁４の内周形状と略相似する形状で該側周壁４の内周形状より若干大きく形成され、その外周部に前記側周壁４の傾斜角度に略一致する傾斜周面２２が形成されている。また、下面の左右両側には、受皿部２に予め螺合される螺子２７，２７との干渉を回避するための凹部２９，２９が形成されている。
【００１９】
養生カバー体２１の材質としては、発泡スチロール，発泡ウレタン，ゴム等が挙げられるが、中でも安価で成形性がよく、適宜の弾性を備えた発泡スチロール，発泡ウレタン等の発泡合成樹脂が好適に用いられ得る。そして、該養生カバー体２１は、その弾性によって受皿部２の側周壁４内に着脱可能に密嵌することにより、受皿部２の露出内面５を覆い得るようになっている。
【００２０】
養生カバー体２１の略中央部には、上下方向の水抜き孔２３が形成されており、養生カバー体２１を受皿部２の側周壁４内に密嵌した状態で、図５に示すように、該水抜き孔２３が排水管部３の開口領域３’に臨むようになっている。また、養生カバー体２１は、受皿部２の側周壁４内に密嵌した状態で、その上面が該側周壁４の上面高さと略一致する高さとなるように形成されており、これにより、養生カバー体２１の上面と、受皿部２の側周壁４の上面との間に段差が生じないようにして、モルタルから発生するノロや雨水を水抜き孔２３から円滑に排水することができるようにしている。また、図１に示すように、水抜き孔２３内に固定装置７の蝶ナット１５を挿通させて、該蝶ナット１５と養生カバー体２１との干渉を回避するようにしている。
【００２１】
尚、前記水抜き孔２３を、少なくとも指一本を挿通し得る内径とすることにより、後述するコンクリートｐの上面の仕上げ施工完了後に、該水抜き孔２３を指掛け部として養生カバー体２１を上方に引張することで、受皿部２の側周壁４内に密嵌された養生カバー体２１を容易に取り外すことが可能となる。
【００２２】
かかる構成にあって、図１に示すように、固定装置７によってコンクリート型枠６上にドレイン本体１を仮固定し、かつ被覆シート２０で覆われた受皿部２内に養生カバー体２１を予め収納させた状態で、図３に示すように、ドレイン本体１の周囲にコンクリートｐが打設される。この時、受皿部２は被覆シート２０で覆われていることにより、打設されるコンクリートｐがドレイン本体１内に入り込むことはない。そして、打設したコンクリートｐが硬化したら、図４に示すように、固定装置７及び被覆シート２０を除去し、同時に養生カバー体２１を一旦取り外す。然る後、図５（イ）に示すように、再び養生カバー体２１を受皿部２の側周壁４内に密嵌して露出内面５を覆う。この時、養生カバー体２１を側周壁４内に嵌めて上方から押圧することにより、該養生カバー体２１の弾性と、側周壁４の傾斜角度に略一致する傾斜周面２２の案内作用とを介して、該養生カバー体２１を極めて容易に密嵌することができる。そして、この状態で、図５（ロ）に示すように、コンクリートｐの上面に防水モルタルや防水塗料を塗布して仕上げ層２４を形成する仕上げ施工を行う。該仕上げ層２４は、ドレイン本体１に雨水を導き得るようにドレイン本体１に向けて下方傾斜する勾配を付けて形成される。このような仕上げ施工時にあって、受皿部２の露出内面５が、側周壁４内に密嵌された養生カバー体２１によって覆われていることにより、防水モルタルから発生するノロや防水塗料の飛沫等が受皿部２の露出内面５に付着せず、これによって、該露出内面５の汚れが防止される。また、前記仕上げ施工後に、仕上げ層２４は養生のために、そのままの状態で数日間放置されるが、この間に降雨があっても、養生カバー体２１には排水管部３の開口領域３’内に臨む上下方向の水抜き孔２３が形成されていることにより、該水抜き孔２３から雨水や防水モルタルから発生するノロを排水管部３の開口領域３’内に流下させることができる。これにより、養生カバー体２１の上面にノロや雨水が溜まることがなく、さらに排水管部３の内面を汚さずに前記雨水等を排出させることができる。尚、コンクリート型枠６は、打設したコンクリートｐの硬化後に行われる固定装置７及び被覆シート２０の除去時（図４参照）に除去される場合もあるが、仕上げ層２４を形成する仕上げ施工時（図５（ロ）参照）にコンクリート型枠６が除去されていない場合にあっても、該コンクリート型枠６には、予め排水孔２５が形成されているので、上記のように排水管部３の開口領域３’内に流下する雨水やノロは該排水孔２５から下方に排出されることとなる。
【００２３】
そして、仕上げ層２４の養生後、図６に示すように、コンクリート型枠６と養生カバー体２１を除去する。この養生カバー体２１の除去時において、上述したように、水抜き孔２３を指掛け部として養生カバー体２１を上方に引張することで、受皿部２の側周壁４内に密嵌された養生カバー体２１を容易に取り外すことができる。最後に、ドレイン本体１の受皿部２にストレーナ２６を螺子２７で取り付けるとともに、排水管部３に縦樋管２８の上端を外嵌して取り付けることにより施工が完了する。
【００２４】
本発明は、上述したように、適宜の弾性及び非透水性を備えた材質からなり、受皿部２の側周壁４の内周形状と略相似する形状で該側周壁４の内周形状より若干大きく形成され、その弾性によって受皿部２の側周壁４内に着脱可能に密嵌することによって受皿部２の露出内面５を覆う養生カバー体２１を、固定装置７による仮固定時に被覆シート２０で覆われた受皿部２内に予め収納するようにしたので、ドレイン本体１の周囲に打設されたコンクリートｐの硬化後に行われるコンクリートｐ上面の仕上げ施工時に、養生カバー体２１を受皿部２の側周壁４内に密嵌することにより、受皿部２の露出内面５を覆うことができ、これによって、仕上げ施工時における防水モルタルのノロや防水塗料の飛沫等による受皿部２の内面の汚れを防止することができる。また、該養生カバー体２１が、適宜の弾性及び非透水性を備えた材質からなり、受皿部２の側周壁４の内周形状と略相似する形状で該側周壁４の内周形状より若干大きく形成され、その弾性によって受皿部２の側周壁４内に着脱可能に密嵌されるものであるため、その密嵌状態において優れた自己位置保持力と強度が得られる。また、養生カバー体２１を、固定装置７による仮固定時に被覆シート２０で覆われた受皿部２内に予め収納させておくので、ドレイン本体１の周囲に打設されたコンクリートｐの硬化後に被覆シート２０を除去すれば、受皿部２内に収納されている養生カバー体２１が即座に使用可能となる。これにより、該養生カバー体２１を別途保管しておく場所や手間が不要であり、紛失を確実に防止することができる。
【００２５】
尚、上述した実施例では、受皿部２が平面視において略矩形を呈するように形成されたドレイン本体１について説明したが、受皿部２は平面視において円形を呈するものであってもよい。
【図面の簡単な説明】
【００２６】
【図１】本発明にかかる養生カバー体２１を収納したドレイン本体１を固定装置７によってコンクリート型枠６上に仮固定した状態を示す縦断面図である。
【図２】（イ）は養生カバー体２１の平面図、（ロ）はその縦断正面図である。
【図３】コンクリートｐを打設した状態を示す施工説明図である。
【図４】コンクリートｐの硬化後に固定装置７及び被覆シート２０を除去した状態を示す施工説明図である。
【図５】（イ）は受皿部２の側周壁４内に養生カバー体２１を密嵌した状態を示す施工説明図、（ロ）はコンクリートｐ上に仕上げ層２４を形成した状態を示す施工説明図である。
【図６】施工完了状態を示すドレイン本体１の縦断面図である。
【図７】（イ）は従来構成の固定装置ｂによってドレイン本体ａをコンクリート型枠ｃ上に仮固定した状態を示す縦断面図、（ロ）はコンクリートｐを打設した状態を示す施工説明図である。
【図８】（イ）はコンクリートｐの硬化後に固定装置ｂ及び被覆シートｆを除去した状態を示す施工説明図、（ロ）はコンクリートｐ上に仕上げ層ｇを形成した状態を示す施工説明図である。
【符号の説明】
【００２７】
１  ドレイン本体
２  受皿部
３  排水管部
３’開口領域
４  側周壁
５  露出内面
６  コンクリート型枠
７  固定装置
２０  被覆シート
２１  養生カバー体
２３  水抜き孔
ｐ  コンクリート
【図１】
2006299619.tif 000003
【図２】
2006299619.tif 000004
【図３】
2006299619.tif 000005
【図４】
2006299619.tif 000006
【図５】
2006299619.tif 000007
【図６】
2006299619.tif 000008
【図７】
2006299619.tif 000009
【図８】
2006299619.tif 000010